(57)【特許請求の範囲】
【請求項１】
基盤面から上方に間隔をあけた高さ位置に床パネルを支持するための床パネル支持装置に用いられるパネル受け部品であって、
床パネルの隅部を載置するための複数の載置面領域を画成する載置壁を有するパネル支持部材と、
前記パネル支持部材の前記載置壁に載置された床パネルの隅部を固定するパネルロックを係止するためのパネルロック受け部材と、を備えて成り、
前記パネル支持部材と前記パネルロック受け部材とが、周方向に沿って互いに間隔をおかれた複数の連結箇所にて連結されている、パネル受け部品において、
前記載置面領域が、前記周方向に沿って互いに間隔をおかれた複数の連結箇所間で少なくとも該連結箇所の半径方向位置まで内方に広がっており、
前記パネル支持部材と前記パネルロック受け部材との前記連結が、前記パネルロック受け部材側の係止手段と、前記載置壁に形成された前記パネル支持部材側の係止手段との係止によって行われていること、を特徴とするパネル受け部品。
【請求項２】
前記パネルロック受け部材側の係止手段が、該パネルロック受け部材に形成されて下方に延びる係止爪であり、前記パネル支持部材側の係止手段が、前記係止爪を受けて該係止爪と弾発係合する開口であることを特徴とする、請求項１に記載のパネル受け部品。
【請求項３】
前記パネルロック受け部材が、下方に延びる弾性脚部を有しており、該弾性脚部は、前記パネルロック受け部材が前記パネル支持部材に組み付けられるときに下端が該パネル支持部材に押圧されることにより弾性変形可能であることを特徴とする、請求項１又は２に記載のパネル受け部品。
【発明の詳細な説明】
【０００１】
【発明の属する技術分野】
本発明は、床パネル支持装置に用いられるパネル受け部品に関する。
【０００２】
【従来の技術】
二重床構造を形成するため、コンクリートスラブ等の基盤面から上方に間隔をあけた調整可能な高さ位置に床パネルを支持するための床パネル支持装置は数多く知られている。一般に床パネル支持装置は、基盤面に設置される支柱と、該支柱の直立したボルト上の調整可能な高さ位置に装架されて床パネルの隅部を支持するパネル受け部品とから構成される。パネル受け部品は、床パネルの隅部のための載置面領域を提供するパネル支持部材と、該パネル支持部材の上面に取り付けられたパネルロック受け部材とからなる。パネルロック受け部材は、載置面領域に乗せられた各床パネルの隅部を挟持して固定するパネルロックを係止するためのものである。
【０００３】
従来広く利用されているパネル受け部品の一例が、特開平５−３３２００１号公報、特開平５−３３２００２号公報および特開平５−３３２００３号公報に開示されている。この従来のパネル受け部品において、パネル支持部材となるパネル受け本体と、パネルロック受け部材となるカバー部材とは、それぞれに設けられた係止孔と連結フックとを連結手段として互いに連結されている。そして、床パネルの隅部が乗せられる載置面領域は、かかる連結手段が設けられた連結箇所の半径方向外側に広がっている。
【０００４】
【発明が解決しようとする課題】
パネル受け部品は、十分なパネル支持機能を有することを前提に、コンパクトであることが望ましい。コンパクトであることは、部品の在庫や搬送の点で有利となるばかりでなく、電気配線等が収容される床パネル下の空間を広く確保する観点からも重要である。一方、十分なパネル支持機能を果たすためには、十分な広さの載置面領域が確保されることが必要であり、また、パネル支持部材は、必要な曲げ荷重に耐えうるものでなければならない。
【０００５】
そこで本発明が解決しようとする課題は、十分な広さの載置面領域および耐荷重性能を確保しながらも、パネル受け部品全体をコンパクトな大きさとすることにある。
【０００６】
【課題を解決するための手段】
上記課題を解決するため、本発明によれば、
基盤面から上方に間隔をあけた高さ位置に床パネルを支持するための床パネル支持装置に用いられるパネル受け部品であって、
床パネルの隅部を載置するための複数の載置面領域を周縁に有するパネル支持部材と、
該パネル支持部材に載置された床パネルの隅部を固定するパネルロックを係止するためのパネルロック受け部材と、
を備えて成り、
前記パネル支持部材と前記パネルロック受け部材とが、周方向に沿って互いに間隔をおかれた複数の連結箇所にて連結されている、
パネル受け部品において、
前記載置面領域が、前記周方向に沿って互いに間隔をおかれた複数の連結箇所間で少なくとも該連結箇所の半径方向位置まで内方に広がっていること、
を特徴とするパネル受け部品が提供される。
【０００７】
前記パネル支持部材と前記パネルロック受け部材との前記連結は、前記パネルロック受け部材側の係止手段と、前記パネル支持部材側の係止手段との係止によって行われるようにすることができる。
【０００８】
前記パネルロック受け部材側の係止手段を、該パネルロック受け部材に形成されて下方に延びる係止爪とし、前記パネル支持部材側の係止手段を、前記係止爪を受けて該係止爪と弾発係合する開口としてもよい。
【０００９】
前記パネルロック受け部材が、下方に延びる弾性脚部を有しており、該弾性脚部が、前記パネルロック受け部材が前記パネル支持部材に組み付けられるときに下端が該パネル支持部材に押圧されることにより弾性変形可能であるような構成をとることもできる。
【００１０】
【発明の実施の形態】
図１は、本発明の一実施例によるパネル受け部品１と支柱２との組み合わせからなる床パネル支持装置によって床パネル３を支持した状態を示す図である。（ａ）は平面図、（ｂ）は縦断面図を示すが、平面図（ａ）においては、パネル受け部品１のパネルロック受け部材４がパネル支持部材５上で占める領域を分かりやすく説明するため、パネルロック受け部材４は外形輪郭だけを示してある。
【００１１】
パネル受け部品１が装架される支柱２は、コンクリートスラブ等の基盤面６に当接して横方向に広がる支持プレート７と、該支持プレート７の中央の孔に下端部を組み付けられて上方に延びる直立したボルト８とからなる。
【００１２】
支柱２のボルト８上には、パネル受け部品１のパネル支持部材５が調整可能な高さ位置に螺合され、ナット９で固定されている。パネル支持部材５上には、後述するような態様でパネルロック受け部材４が連結されている。周方向に沿って互いに間隔をおかれた４つの連結箇所を符号１０で示す。
【００１３】
パネル支持部材５の周縁のうち、パネルロック受け部材４に覆われていない部分の表面は、床パネル３の隅部を載置するための載置面領域１１として提供される（実際には、パネル支持部材５の上面には後述するように緩衝シートが置かれるが、パネル支持の本質上、載置面領域１１はパネル支持部材５の周縁によって与えられているといってよい）。図示実施例において、４枚の床パネル３の各隅部を支持するために、４つの連結箇所１０相互の間に４つの載置面領域１１が設けられていると認識することができる。
【００１４】
載置面領域１１に各隅部を載置された床パネル３は、基盤面６から上方に間隔をあけた調整可能な高さ位置に支持されることになる。この床パネル３の各隅部を挟持して固定するため、パネルロック受け部材４にパネルロック１２が係止される。
【００１５】
各部材について説明する。まず、図２にパネル支持部材５を示す。パネル支持部材５は、支柱２のボルト８と螺合するためのネジ孔１３が形成された基部１４と、該基部１４から上方へ向かって半径方向外方に広がるように延びるカップ状の周壁１５と、該周壁１５の上端から水平方向外方に広がってパネル受け部品の周縁を構成し、前述した載置面領域１１を画成する載置壁１６とからなる。載置壁１６には、係止手段としての開口１７が形成されている。載置壁１６の四隅には凹所２９が形成されている。凹所２９内には、床パネル３の隅部の下面に形成された突起が嵌合するようになされており、これにより載置パネルの位置決めが行われる。
【００１６】
図３に、パネル支持部材５に連結されるパネルロック受け部材４を示す。パネルロック受け部材４は、中央開口１８を画成する環状の上壁１９と、該上壁１９から下方に向かって半径方向外方に広がるように延びる４本の係止爪２０とを有している。かかるパネルロック受け部材４は、表面処理鋼板を使用してプレス成形で製造することができる。係止爪２０は、パネル支持部材５の開口１７と整合する角度位置に形成され、該開口１７と相互係止する係止手段として機能する。具体的には、係止爪２０の先端部において切り起こしにより形成されたフック２１が、開口１７の半径方向内方の縁の下面に係合することにより、係止が行われる。
【００１７】
このような係止が行われる様子は、図４で示される。係止爪２０と開口１７とが互いに整合する角度位置となるような相対位置関係のもとで、図４の上段に示したパネルロック受け部材４を、中段に示したパネル支持部材５（載置壁１６上には軟質樹脂からなる緩衝シート２２が置かれている）に対して矢印の方向に相対移動させてゆくと、係止爪２０のフック２１が開口１７の半径方向内方の縁に当たる。相対移動をさらに進めると、半径方向内方に傾斜しているフック２１のカム作用により、係止爪２０は半径方向外方に弾性変形する。さらに相対移動を進め、フック２１が開口１７を完全に通過すると、係止爪２０は半径方向内方に弾性復帰し、図４の下段に示すように、フック２１が開口１７の半径方向内方の縁の下面に係合する。このような係止爪２０と開口１７との弾発係合は、工場におけるパネル受け部品１の組み立てを容易にするばかりでなく、その迅速性および簡便性により、パネル受け部品１の現場での組み立てを可能にする。
【００１８】
係止爪２０と開口１７との係止は、それ自身で両者間の遊びをなくし得るものとは限らない。したがって、床パネル３上を歩行するときなどに、パネルロック受け部材４とパネル支持部材５との間にガタツキが生じ、耳障りな音を発生させる可能性がある。これを解消するのがパネルロック受け部材４に形成された弾性脚部２３である。
【００１９】
図３に見られるように、弾性脚部２３は、係止爪２０間の角度位置において、該係止爪２０と同様、上壁１９から下方に向かって半径方向外方に広がるように延びている。しかしながら、その長さは係止爪２０より短い。図４に示すように、パネルロック受け部材４をパネル支持部材５に組み付ける際、半径方向外方に曲がった弾性脚部２３の下端２４は、緩衝シート２２を介してパネル支持部材５の載置壁１６の上面に当接する。係止爪２０のフック２１が開口１７を完全に通過するまでの間、弾性脚部２３の下端２４は載置壁１６の上面に押圧されつづけ、弾性変形する。係止爪２０のフック２１が開口１７を通過して該開口１７の半径方向内方の縁の下面に係合すると、弾性脚部２３の弾性復帰力は、パネルロック受け部材４とパネル支持部材５とを互いに上下に離れる方向に付勢し、その結果、フック２１と開口１７との間の係止は緊密なものとなり、ガタツキはなくなる。図４の下段の断面図に対応する側面図を図５に示す。
【００２０】
パネル受け部品に支持される床パネル３の隅部の下面は、係止爪２０や弾性脚部２３と干渉しないように形状づけられている。また、弾性脚部２３の外側斜面は、パネル載置時の案内として機能する。
【００２１】
パネルロック１２を図６に示す。図６、図３および図１を併せて参照すると容易に理解できるように、床パネル３の隅部をパネル支持部材５の載置壁１６の載置面領域１１に乗せたのち、パネルロック１２の下部に形成された四方の突起２５をパネルロック受け部材４の上壁１９に形成された四方の凹所２６に合わせるようにして、該パネルロック１２の下部をパネルロック受け部材４の中央開口１８内に挿入し、パネルロック１２を４５度回転させることにより、床パネル３の隅部は挟持作用により固定される。
【００２２】
パネルロック受け部材４の上壁１９の一部を上方に切り起こして形成した傾斜片２７、および、同じく上壁１９の一部を下方に折り曲げて形成した突出片２８が、凹所２６の前後にそれぞれ設けられている。傾斜片２７は、パネルロック１２の下部の挿入から回転までをスムーズに案内する役割を果たし、突出片２８は、パネルロック１２の過剰な回転を阻止する役割を果たすものである。
【００２３】
再び図１を参照して見ると良く理解できるように、床パネル３の隅部を載置するための載置面領域１１は、係止爪２０と開口１７との連結箇所１０間で、該連結箇所１０の半径方向位置よりも内方にまで広がっている。したがって、パネル支持部材５の載置壁１６の外形寸法をそれほど大きくしなくとも、十分な広さの載置面領域１１が確保されている。したがって、パネル支持部材５ひいてはパネル受け部品１全体をコンパクトな設計とすることができる。前述した従来技術のパネル受け部品においては、載置面領域は連結箇所の完全に半径方向外側に位置付けられていることを考慮すると、コンパクト化の効果は、載置面領域１１が、連結箇所１０の間で少なくとも該連結箇所１０の半径方向位置まで内方に広がっていることで十分発揮される。このような実施例も本発明の範囲内に属する。
【００２４】
図１（ｂ）のように床パネル３を載置するためには、まず、基盤面６上に墨打をして支柱２の設置位置を定め、パネル受け部品１を組み付けた支柱２の支持プレート７の下面を基盤面６に接着する。パネル受け部品１の高さをボルト８上で調整し、床パネル３の隅部を載置面領域１１に乗せる。上方からナット９をボルト８上に螺装し、締め付けることによりパネル受け部品１を固定する。その後、パネルロック１２で床パネル３の隅部を固定する。
【００２５】
【発明の効果】
本発明のパネル受け部品によれば、床パネルの隅部を載置するための載置面領域が、パネル支持部材とパネルロック受け部材との複数の連結箇所の間で少なくとも該連結箇所の半径方向位置まで内方に広がっているので、十分な広さの載置面領域を確保しながらも、パネル受け部品全体をコンパクトな大きさとすることができる。また、パネル端部からパネル支持部材に加えられる曲げ荷重が作用するモーメントアームの長さが短かくなるので、耐荷重性能も向上する。
【００２６】
パネル支持部材とパネルロック受け部材との連結を、双方の係止手段間の係止によって行うようにすれば、溶接やネジ止めによる連結に比べ、作業は格段に容易となる。したがって、現場での組立が可能となり、部品別の在庫や搬送ができる。在庫や搬送に関しても、上述したコンパクト化の効果が有利にはたらくことは言うまでもない。
【００２７】
さらに、一方の係止手段を係止爪とし、他方の係止手段を該係止爪と弾発係合する開口とすれば、きわめて容易で迅速な連結が可能となる。
【００２８】
また、パネルロック受け部材に下方に延びる弾性脚部を設け、該弾性脚部の下端が、パネル受け部品組み立ての際にパネル支持部材に押圧されることにより弾性変形するようにすれば、パネルロック受け部材とパネル支持部材との間の遊び（ガタツキ）がなくなり、パネル上歩行時の耳障りな音の発生を防止することができる。
【図面の簡単な説明】
【図１】本発明の一実施例によるパネル受け部品と支柱との組み合わせからなる床パネル支持装置によって床パネルを支持した状態を示す図である。（ａ）は平面図、（ｂ）は縦断面図を示す。平面図（ａ）において、パネルロック受け部材は外形輪郭だけを示す。
【図２】本発明の一実施例によるパネル受け部品に用いられるパネル支持部材を示す図であり、（ａ）は平面図、（ｂ）は縦断面図。
【図３】本発明の一実施例によるパネル受け部品に用いられるパネルロック受け部材を示す図であり、（ａ）は平面図、（ｂ）は半断面図、（ｃ）は底面図。
【図４】パネルロック受け部材をパネル支持部材に組み付ける様子を示す図であり、上段はパネルロック受け部材、中段はパネル支持部材、下段は両者が組み付けられた状態をそれぞれ示す。すべて縦断面図で示してある。
【図５】図４の下段の図に対応する側面図。
【図６】パネルロックを示す図。（ａ）は平面図、（ｂ）は側面図、（ｃ）は縦断面図、（ｄ）は底面図であり、（ｃ）は（ｄ）におけるＡ−Ａ断面図に相当する。
【符号の説明】
１  パネル受け部品、２  支柱、３  床パネル、４  パネルロック受け部材、５パネル支持部材、６  基盤面、７  支持プレート、８  ボルト、９  ナット、１０  連結箇所、１１  載置面領域、１２  パネルロック、１３  ネジ孔、１４基部、１５  周壁、１６  載置壁、１７  開口、１８  中央開口、１９  上壁、２０  係止爪、２１  フック  ２２  緩衝シート、２３  弾性脚部、２４  下端、２５  突起、２６  凹所、２７  傾斜片、２８  突出片、２９  凹所。
【図１】
0003811265.tif 000002
【図２】
0003811265.tif 000003
【図３】
0003811265.tif 000004
【図４】
0003811265.tif 000005
【図５】
0003811265.tif 000006
【図６】
0003811265.tif 000007